(57)【特許請求の範囲】
【請求項１】
印刷手段を有するクライアント側の電子機器と、前記電子機器とネットワークを介して接続されたサーバと、前記ネットワーク上のコンテンツが所定形式で保存されたサイトと、を有し、前記ネットワーク上のアドレス情報で前記電子機器が指定した場所にあるコンテンツのデータを、前記サーバが当該場所のサイトにアクセスして取得した後に、前記電子機器に伝送することにより、当該コンテンツを前記印刷手段で印刷する印刷システムにおいて、
前記印刷手段の仕様情報を前記アドレス情報とともに前記サーバに送信するものであって前記電子機器に設けられた情報通知手段と、
前記仕様情報を構成する仕様要素のうち、一の仕様要素における何れか一つの種別を選択するものであって前記サーバに設けられた種別選択手段と、
当該コンテンツのレンダリング及びフォーマット変換を、前記種別選択手段により選択された前記仕様情報を構成する仕様要素における何れか一つの種別に基づいて行うものであって前記サーバに設けられた再生成手段と、
前記種別選択手段で選択された種別を当該コンテンツのデータに付加するものであって前記サーバに設けられた種別付加手段と、を備え、
前記電子機器は、前記サーバより印刷可能である旨の通知を受けた後、当該コンテンツの受け入れが可能である場合に、受信した前記再生成手段で処理された当該コンテンツのデータにより、当該コンテンツを前記印刷手段で印刷することを特徴とする印刷システム。
【請求項２】
仕様情報を構成する仕様要素のうち、一の仕様要素における何れか一つの種別を選択する種別選択手段と、コンテンツが所定形式で保存されたサイトにネットワークを介して接続され、前記ネットワーク上のアドレス情報で指定された場所にあるコンテンツのデータを、当該場所のサイトにアクセスして取得した後、前記アドレス情報の送信元の電子機器に伝送する際に当該コンテンツのレンダリング及びフォーマット変換を、前記種別選択手段により選択された仕様情報を構成する仕様要素における何れか一つの種別に基づいて行う再生成手段と、前記種別選択手段で選択された種別を当該コンテンツのデータに付加する種別付加手段と、を有するサーバに対して、前記ネットワークを介して接続されるとともに、当該コンテンツを印刷手段で印刷するクライアント側の電子機器であって、
前記印刷手段の仕様に関するものを前記仕様情報として前記アドレス情報とともに前記サーバに送信する情報通知手段を備え、
前記サーバより印刷可能である旨の通知を受けた後、当該コンテンツの受け入れが可能である場合に、受信した前記サーバの再生成手段で処理された当該コンテンツのデータにより、当該コンテンツを前記印刷手段で印刷することを特徴とする電子機器。
【請求項３】
コンピュータを、
ネットワーク上のアドレス情報で、印刷手段を有する電子機器が指定した場所にあるコンテンツのデータを、当該場所のサイトにアクセスして取得する取得手段と、
仕様情報を構成する仕様要素のうち、一の仕様要素における何れか一つの種別を選択する種別選択手段と、
前記電子機器が、前記アドレス情報とともに送信した、該印刷手段で印刷可能な仕様情報であって、前記種別選択手段により選択された仕様情報を構成する仕様要素における何れか一つの種別に基づいて、当該コンテンツのレンダリング及びフォーマット変換を行う再生成手段と、
前記種別選択手段で選択された種別を当該コンテンツのデータに付加する種別付加手段と、
前記再生成手段により当該コンテンツのレンダリング及びフォーマット変換を行うと、印刷可能である旨の通知の後に、当該コンテンツのデータを前記電子機器に送信させる送信制御手段と、
して機能させるためのプログラム。
【発明の詳細な説明】
【０００１】
【発明の属する技術分野】
本発明は、ネットワーク上のコンテンツを印刷するための印刷システム、及び、電子機器、プログラムに関する。
【０００２】
【従来の技術】
従来、ネットワーク上のコンテンツをクライアントで出力するための通信技術に、例えば、特開平１０−１６１９４７に記載された「情報処理装置」や、特開平１１−１５７４９に記載された「ファクシミリ端末出力用ＨＴＭＬファイル画像変換装置、方法およびその方法を記録した記録媒体」、特開２０００−１８１８４２に記載された「ファクシミリ通信システムおよびファクシミリ通信方法」などがある。
【０００３】
この点、特開平１０−１６１９４７に記載された「情報処理装置」や、特開２０００−１８１８４２に記載された「ファクシミリ通信システムおよびファクシミリ通信方法」には、コンテンツの送信を要求してきたクライアントの種別（例えば、ＦＡＸ端末、メール端末、電話端末などの種別）に応じ、ファクシミリや、テキスト、音声などの情報形式に変換することにより、当該コンテンツをクライアントに送信する通信技術が記載されている。
【０００４】
また、特開平１１−１５７４９に記載された「ファクシミリ端末出力用ＨＴＭＬファイル画像変換装置、方法およびその方法を記録した記録媒体」には、コンテンツの送信を要求してきたクライアントのファクシミリ端末の解像度を予め想定し、その解像度に応じた画像情報を生成することにより、当該コンテンツをクライアントに送信する通信技術が記載されている。
【０００５】
【発明が解決しようとする課題】
しかしながら、これらの通信技術は、いずれも、クライアントの区別（例えば、ＦＡＸ端末、メール端末、電話端末などの区別）や、クライアントのファクシミリ端末の解像度を、サーバ側で前もって知っていなければ、機能させることができない。
【０００６】
従って、たとえ、クライアントの区別を印刷端末に限ったとしても、不特定多数のクライアントが存在するネットワーク（例えば、ＷＷＷなど）の場合には、個々のクライアントの印刷端末の仕様（例えば、解像度、用紙サイズ、カラー・モノクロ、メモリ容量、プリンタ記述言語、読取装置の有無など）をサーバ側で前もって知ることは事実上不可能であることから、サーバ側は、標準的なフォーマットのみをもって、個々のクライアントが要求したコンテンツをそれぞれに送信することになる。
【０００７】
しかし、標準的なフォーマットでは、クライアントの印刷端末の仕様が十分に発揮できないケースや、逆に、クライアントの印刷端末の仕様が不十分なケースがあり、さらに、標準的なフォーマットがサーバ側でバージョンアップされると、それに対応するためには、クライアントの印刷端末もアップデートしなければならなくなるので、クライアント側での対応が煩雑となる問題点があった。
【０００８】
そこで、本発明は、上述した問題点を解決するためになされた印刷システム、及び、電子機器、プログラムであって、サーバに要求することによりサーバから送信されたネットワーク上のコンテンツをクライアント側の電子機器が印刷手段で印刷する場合に、当該クライアント側の電子機器の印刷手段の仕様に合ったものをサーバに送信させることにより、それぞれのクライアント側の電子機器の印刷手段に適した印刷を可能にすることを課題とする。
【０００９】
【課題を解決するための手段】
この課題を解決するために成された請求項１に係る発明は、印刷手段を有するクライアント側の電子機器と、前記電子機器とネットワークを介して接続されたサーバと、前記ネットワーク上のコンテンツが所定形式で保存されたサイトと、を有し、前記ネットワーク上のアドレス情報で前記電子機器が指定した場所にあるコンテンツのデータを、前記サーバが当該場所のサイトにアクセスして取得した後に、前記電子機器に伝送することにより、当該コンテンツを前記印刷手段で印刷する印刷システムにおいて、前記印刷手段の仕様情報を前記アドレス情報とともに前記サーバに送信するものであって前記電子機器に設けられた情報通知手段と、前記仕様情報を構成する仕様要素のうち、一の仕様要素における何れか一つの種別を選択するものであって前記サーバに設けられた種別選択手段と、当該コンテンツのレンダリング及びフォーマット変換を、前記種別選択手段により選択された前記仕様情報を構成する仕様要素における何れか一つの種別に基づいて行うものであって前記サーバに設けられた再生成手段と、前記種別選択手段で選択された種別を当該コンテンツのデータに付加するものであって前記サーバに設けられた種別付加手段と、を備え、前記電子機器は、前記サーバより印刷可能である旨の通知を受けた後、当該コンテンツの受け入れが可能である場合に、受信した前記再生成手段で処理された当該コンテンツのデータにより、当該コンテンツを前記印刷手段で印刷することを特徴としている。
【００１０】
すなわち、本発明の印刷システムでは、クライアント側の電子機器の情報通知手段により、クライアント側の電子機器の印刷手段の仕様情報をネットワーク上のアドレス情報とともにサーバに送信すると、ネットワーク上のアドレス情報でクライアント側の電子機器が指定した場所に所定形式で保存されたコンテンツのデータは、サーバが当該場所のサイトにアクセスすることにより取得され、サーバーの再生成手段により、クライアント側の電子機器の印刷手段の仕様情報に基づいてレンダリング及びフォーマット変換が行われた後に、クライアントに伝送され、その後に、当該コンテンツはクライアント側の電子機器の印刷手段で印刷されるので、サーバに要求することによりサーバから送信されたネットワーク上のコンテンツをクライアント側の電子機器が印刷手段で印刷する場合に、当該クライアント側の電子機器の印刷手段の仕様に合ったものをサーバに送信させており、それぞれのクライアント側の電子機器の印刷手段に適した印刷が可能である。
【００１１】
また、ネットワーク上のアドレス情報でクライアント側の電子機器が指定した場所に所定形式で保存されたコンテンツのデータは、サーバが当該場所のサイトにアクセスすることにより取得され、サーバーの再生成手段により、クライアント側の電子機器の印刷手段の仕様情報に基づいてレンダリング及びフォーマット変換が行われるので、サイト側がコンテンツをどのような所定形式で保存したとしても、サーバ側で対応するため、クライアント側に影響が及ばない。
【００１２】
また、請求項２に係る発明は、仕様情報を構成する仕様要素のうち、一の仕様要素における何れか一つの種別を選択する種別選択手段と、コンテンツが所定形式で保存されたサイトにネットワークを介して接続され、前記ネットワーク上のアドレス情報で指定された場所にあるコンテンツのデータを、当該場所のサイトにアクセスして取得した後、前記アドレス情報の送信元の電子機器に伝送する際に当該コンテンツのレンダリング及びフォーマット変換を、前記種別選択手段により選択された仕様情報を構成する仕様要素における何れか一つの種別に基づいて行う再生成手段と、前記種別選択手段で選択された種別を当該コンテンツのデータに付加する種別付加手段と、を有するサーバに対して、前記ネットワークを介して接続されるとともに、当該コンテンツを印刷手段で印刷するクライアント側の電子機器であって、前記印刷手段の仕様に関するものを前記仕様情報として前記アドレス情報とともに前記サーバに送信する情報通知手段を備え、前記サーバより印刷可能である旨の通知を受けた後、当該コンテンツの受け入れが可能である場合に、受信した前記サーバの再生成手段で処理された当該コンテンツのデータにより、当該コンテンツを前記印刷手段で印刷することを特徴としている。
【００１３】
また、請求項３に係る発明は、コンピュータを、ネットワーク上のアドレス情報で、印刷手段を有する電子機器が指定した場所にあるコンテンツのデータを、当該場所のサイトにアクセスして取得する取得手段と、仕様情報を構成する仕様要素のうち、一の仕様要素における何れか一つの種別を選択する種別選択手段と、前記電子機器が、前記アドレス情報とともに送信した、該印刷手段で印刷可能な仕様情報であって、前記種別選択手段により選択された仕様情報を構成する仕様要素における何れか一つの種別に基づいて、当該コンテンツのレンダリング及びフォーマット変換を行う再生成手段と、前記種別選択手段で選択された種別を当該コンテンツのデータに付加する種別付加手段と、前記再生成手段により当該コンテンツのレンダリング及びフォーマット変換を行うと、印刷可能である旨の通知の後に、当該コンテンツのデータを前記電子機器に送信させる送信制御手段と、して機能させるためのプログラムである。
【００１４】
【００１５】
尚、本発明の印刷システム、及び、電子機器、プログラムにおいては、クライアント側の電子機器の情報通知手段によりクライアントの印刷手段側の電子機器の仕様情報をサーバに送信した際に、クライアント側の電子機器の印刷手段の仕様情報を構成する各仕様要素に選択要素がある場合には、サーバの種別選択手段により、クライアント側の電子機器の印刷手段の仕様情報を構成する各仕様要素のうちの選択要素について何れか一つの種別を所定のルールで選択し、サーバの種別付加手段により、サーバの種別選択手段で選択された種別を当該コンテンツのデータに付加するので、クライアント側の電子機器が印刷可能な仕様条件が複数存在する時、少なくとも１つの仕様条件をサーバが処理可能であれば、正常に印刷させることが可能となり、印刷不可という事態に陥ることを抑制できる。
【００１６】
【００１７】
【００１８】
【００１９】
また、本発明の特定機能代行システム及び、電子機器、プログラムにおいて、クライアント側の電子機器とサーバとを接続するネットワークには、インターネット、ＷＷＷ、ＬＡＮなどがあるが、特に、ＷＷＷは、実際の利用価値が高く、上述した効果を顕著に発揮できる。
【００２０】
すなわち、上記ネットワークがＷＷＷであることを特徴とするものである。
【００２１】
【発明の実施の形態】
以下に本発明の実施の形態について、図面とともに説明する。
図１は、本発明が適用されたファクシミリ装置１の使用形態を表す説明図であり、図２は、ファクシミリ装置１の外部構成を表す概略斜視図、図３は、ファクシミリ装置１の内部構成を表す説明図である。
【００２２】
図１に示すように、ファクシミリ装置１は、回線制御部３と、通信モジュール５とを備えている。回線制御部３は、外部接続ポート４（図４参照）を備えており、この外部接続ポート４には、建造物内（家庭内、オフィス内等）に設置されたスプリッタ８の電話機用の接続ポートに繋がるアナログ線Ｌ１（２芯線、４芯線からなる所謂電話線）が接続されている。
【００２３】
一方、通信モジュール５は、ＷＡＮ側接続ポート６及びＬＡＮ側接続ポート７（図３参照）を備えており、ＷＡＮ側接続ポート６は、スプリッタ８のＡＤＳＬモデム用の接続ポートにＬＡＮケープルＬ２を介して接続されたＡＤＳＬモデム９に繋がるＬＡＮケーブルＬ３に接続され、ＬＡＮ側接続ポート７は、ハブ（ＨＵＢ）１１に接続されている。
【００２４】
また、このハブ（ＨＵＢ）１１には、双方向通信可能な複数のＰＣ１３、１４や、プリンタ１６（ネットワーク接続可能なインクジェットプリンタ、レーザプリンタなど）、ＩＰ（インターネット・プロトコル）方式で音声信号を送受信可能なＩＰ電話機１５、インターネット接続可能なインターネットファクシミリ装置１７などの各ＬＡＮ端末１３〜１７が接続されている。即ち、ハブ（ＨＵＢ）１１は、各ＬＡＮ端末１３〜１７から構成される建造物内のローカルエリアネットワーク（ＬＡＮ）に接続されている。
【００２５】
一方、スプリッタ８は、ＡＤＳＬを利用する際に使用される周知のスプリッタであり、基地局側に設定されたスプリッタ１９から送信されてくる概ね４ｋＨｚ以下の第一信号とそれより高周波のＡＤＳＬ用の第二信号とが重畳された伝送信号を、その第一信号と、第二信号に分離し、第一信号を、電話機用の上記接続ポートに出力すると共に第二信号をＡＤＳＬモデム用の接続ポートに出力する一方で、各接続ポートから入力されてきた信号を重畳して、基地局側のスプリッタ１９に送信する構成になっている。
【００２６】
即ち、本実施の形態のファクシミリ装置１は、回線制御部３を用いて、公衆回線網（即ち、公衆交換電話綱：ＰＳＴＮ）内の加入者電話機に接続可能な構成にされ、更に、通信モジュール５及びＡＤＳＬモデム９を介して広域ネットワーク（ＷＡＮ）としてのインターネットに接続可能な構成になっている。
【００２７】
更に、このファクシミリ装置１は、通信モジュール５の後述するルータ制御部１０１の動作により、インターネット内の通信装置（ＷＷＷサーバ２１等）とＬＡＮ内の各ＬＡＮ端末１３〜１７との間で送受信されるデータ（ＩＰパケット）をルーティングするルータとして機能する構成になっている。
【００２８】
また、本実施の形態のファクシミリ装置１は、原稿から光学的に画像を読み取り、その画像を表すイメージデータをファクシミリデータにして、アナログ繰Ｌ１を介して公衆回線網に接続された外部のファクシミリ装置２３に送信すると共に、外部のファクシミリ装置２３から公衆回線網及びアナログ線Ｌ１を介して送信されてきたファクシミリデータを受信して、記録紙にそのファクシミリデータに基づく画像を形成する通常の機能（ファクシミリ機能）の他、プリンタ機能、コピー機能を有している。
【００２９】
このプリンタ機能とは、ＰＣ１３、１４やワードプロセッサ等から送信されてきたコードデータに基づく画像を記録紙に形成する機能のことを意味し、当該ファクシミリ装置１は、ＰＣインタフェース（ＰＣ  Ｉ／Ｆ）２４を介して外部のＰＣからコードデータを受信したり、通信モジュール５を介してＬＡＮ内のＰＣ１３，１４等からコードデータを受信すると、そのデータに基づく画像を記録紙に形成する構成になっている。また、コピー機能とは、後述するスキャナ部３５及び記録部３７を用いて、原稿から画像を読み取り、そのイメージデータに基づいて、記録紙に画像を形成する複写機能を意味する。
【００３０】
このような機能を有するファクシミリ装置1には、図２に示すように、その本体ケース２５の側部に、ハンドセット（Ｈ／Ｓ）２６が取り付けられ、上面の前部に、操作パネル２７が設けられている。尚、この操作パネル２７には、相手側の電話番号（ＦＡＸ番号）を入力するための数字キー２７１や、スタートキー２７２、選択キー２７３などの各種操作キー２７０と、各種機能に関連する情報を表示するための液晶ディスプレイ（ＬＣＤ）２７４と、が備えられている。
【００３１】
この他、本体の上部後部には、装置内に供給する記録紙を収容するための第一給紙トレイ２９が設けられ、その上には記録紙を載置するためのものであって利用者による手差しで記録紙を供給するための第二給紙トレイ３１が設けられている。更に、その上には読取用の原稿用紙を載置するための原稿用給紙トレイ３３が設けられている。
【００３２】
また、本体には、図３に示すように、原稿から画像を読み取るためのスキャナ部３５、記録紙に多色カラーの画像を形成するための記録部３７、及び、これらの各部の駆動を制御するＣＰＵ３９（図４参照）を搭載する基板（図示せず）、などが内蔵されている。
【００３３】
スキャナ部３５では、原稿用給紙トレイ３３に載置された原稿が、原稿センサ（図示せず）により検出され、図３の矢印Ａにて示すように、給紙ローラ４１及び分離パッド４３等からなる給紙機能によって一枚ずつ取り込まれ、この後に、搬送ローラ４５により読取装置４７まで搬送される。そして、読取装置４７では、原稿上に形成されている画像が読み取られる。また、読取装置４７による画像読取後の原稿は、排紙ローラ４９を介して前方に設けられた第一排紙トレイ５１に排出される。
【００３４】
尚、このスキャナ部３５には、原稿センサの他に、原稿の先頭を検出する原稿フロントセンサ５３と、原稿の後端を検出する原稿リアセンサ５５とが設けられており、ＣＰＵ３９は、これらのセンサからの検出結果に基づき、スキャナ部３５内の各部を制御して紙送りを調整し、スキャナ部３５の動作を実現する。
【００３５】
一方、記録部３７では、第一給紙トレイ２９あるいは第二給紙トレイ３１に載置された記録紙が、図３の矢印Ｂにて示すように、給紙ローラ５７及び分離パッド５９等からなる給紙機構によって一枚ずつ取り込まれる。そして、記録紙は、搬送ローラ６１を介して画像形成装置６３に送られる。画像形成装置６３では、記録紙上に複数色（本実施の形態ではシアン、マゼンタ、イエロー及びブラック）のトナーの組合せによる多色カラーの画像が形成される。また、画像形成装置通過後の記録紙は、下流側の定着装置６５に送られる。そして、この定着装置６５では、トナーによる画像が記録紙上に定着される。更に定着装置通過後の記録紙は、排紙ローラ６７を介して、本体の全面こ設けられた第二排紙トレイ６９に排出される。
【００３６】
尚、画像形成装置６３は、レーザ光走査装置７１を動作させて感光ドラムにレーザ光を照射し、その表面に静電潜像を形成する構成になっている。このレーザ光走査装置７１は、ＣＰＵ３９からの指令に従って、イメージデータに基づくレーザ光を発射するレーザ発光部７７と、レーザ光反射用のレンズ７８、及びレンズ７８に反射されたレーザ光を感光ドラムに導く反射ミラー７９等を備えている。この他、画像形成差置６３は、トナーを貯留するトナータンク７３を備えており、静電潜像形成後の感光ドラムにトナータンク７３から供給されたトナーを付着させ、転写ローラ７５により、記録紙に電荷を付与して感光ドラムに付着したトナーを記録紙に転写する構成になっている。
【００３７】
次に、ファクシミリ装置１の電気的構成について説明する。尚、図４は、本実施の形態のファクシミリ装置１の電気的構成を表すフロック図である。また、図５は、ＲＡＭ８３のデータ構成を表す説明図（図５（ａ））、ＲＯＭ８１内のデータ構成を表す説明図（図５（ｂ））及び、後述する宛先情報記憶部８３ｃ内のデータ構成を表す説明図（図５（ｃ））である。
【００３８】
ファクシミリ装置1は、主に、ＣＰＵ３９、ＲＯＭ８１、ＲＡＭ８３、スキャナ部３５、符号器８５、記録部３７、復号器８７、操作キー２７０、ＬＣＤ２７４、モデム８９、回線制御部３、ＰＣインタフェース（ＰＣ  Ｉ／Ｆ）２４、メール制御部９１、機能拡張用インタフエース（Ｉ／Ｆ）９３を備えており、夫々はパス９５を介して接続されている。また、この機能拡張用インタフェース９３には、通信モジュール５が接続されている。
【００３９】
ＣＰＵ３９は、本装置の制御の中枢を担っており、装置全体を統括制御する構成にされている。つまり例えば、ＣＰＵ３９は、ＲＯＭ８１内に予め記録された制御処理用のプログラムを読み出し、そのプログラムに従って、ファクシミリデータの送受信や、宛先登録等の処理を実行する。
【００４０】
尚、ＲＯＭ８１内には、当該装置をファクシミリ装置として動作させるために必要なファクシミリ機能用プログラム群８１ａ（図５（ｂ）参照）が記憶されている。具体的には例えば、回線制御部３が外部のファクシミリ装置２３から受信したファクシミリデータに基づく画像を記録部３７に形成させるための受信用プログラム等がファクシミリ機能用プログラムとしてＲＯＭ８１に納められている。
【００４１】
また、ＲＯＭ８１内には、当該装置をＰＣ等から送信されてきたデータを印刷するプリンタとして動作させるために必要なプリンタ機能用プログラム群８１ｂが記憶されている。具体的には例えば、通信モジュール５がＬＡＮ内のＰＣ１３，１４から受信したデータに基づく画像を記録部３７に形成させるためのＰＣ印刷用プログラムが上記プリンタ機能用プログラムとしてＲＯＭ８１に納められている。
この他、ＲＯＭ８１内には、プログラム等で呼び出される記録部制御用プログラム８１ｃや、その他の図示しない各種プログラム、そのプログラム実行時に必要な各種データが予め記憶されている。
【００４２】
一方、ＲＡＭ８３は、各種制御を行う際に必要なワークメモリ８３ａ（図５（ａ）参照）や、ファクシミリデータ等を記憶する送受信データ記憶部８３ｂ、ファクシミリデータの送信先に閑する宛先情報を記憶する宛先情報記録部８３ｃ、として機能するように構成されている。
【００４３】
また、宛先情報記憶部８３ｃは、図５（ｃ）に示すように、ファクシミリデータの送信先に関する宛先情報として電話番号を記録可能なように構成され、更に、この電話番号に関連づけて、メールアドレスを記憶可能な構成になっている。即ち、当該ファクシミリ装置１は、相手先装置（外部のファクシミリ装置２３）が公衆回線網経由のファクシミリデータの送受信の他に、インターネット経由の電子メールの送受信を行うことが可能なように構成されている場合に備えて、一つの宛名に対して、電話番号とメールアドレスの両方を併記した形で宛先情報を登録できるように構成されている。
【００４４】
スキャナ部３５は、ファクシミリデータの送信やコピー（原稿の複写）等の際に、原稿を読み取るためのものである。本実施の形態のスキャナ部３５は、上述したように、原稿を原稿用給紙トレイ３３から取得し、読取装置４７にて画像を読み取り、読取結果としてのイメージデータを符号器８５などに出力する構成になっている。
【００４５】
また、符号器８５は、スキャナ部３５によって読み取られたイメージデータをファックスフォーマットであるＧ３圧縮形式のイメージデータにするために、符号化処理を実行し、その処理後のイメージデータを出力する構成になっている。
一方、復号器８７は、ファックスフォーマットのイメージデータを復号化して、記録部３７にて処理可能なイメージデータに変換する構成になっている。
【００４６】
また、記録部３７は、上述したように、カラー画像を形成可能な所謂カラーレーザプリンタとして機能する構成になっており、記録部制御用プログラム８１ｃを実行するＣＰＵ３９からの指令に従い、復号器８７によって復号化されたイメージデータに基づくカラー画像を、画像形成装置６３を用いて記録紙に印刷し、印例後の記録紙を出力する構成になっている。
【００４７】
尚、本実施の形態の記録部３７は、通常印刷モードの他に、通常より静かな音で画像を形成することが可能な静音印刷モードを備えており、これらの印刷モードをＣＰＵ３９からの指令に従って切り換えて動作する構成になっている。また、記録部３７は、単色印刷も可能な構成になっており、ＣＰＵ３９からの指令にしたがって、指定色のトナーのみを用いて画像を形成することが可能な構成になっている。
この他、操作キー２７０は、上述したように操作パネル２７上に設けられており、利用者の操作に従って、宛先情報の登録、宛先の指定、メモ情報の入力や選択等といった各種処理操作を行うための指令信号を装置内（ＣＰＵ３９など）に入力する構成になっている。
【００４８】
同じく操作パネル２７に設けられたＬＣＤ２７４は、利用者に操作手順を案内するメッセージやエラーメッセージ等の各種メッセージ等を表示するための表示手段として設けられている。また、本実施の形態のＬＣＤ２７４は、タッチパネルとしての機能を備えており、ファクシミリデータの宛先指定や宛先情報の登録の際に、ワンタッチキーの表示を行うと共に、利用者の操件情報を取得し装置内に入力する構成になっている。
【００４９】
モデム８９は、回線制御部３を介してスプリッタ８経由で公衆回線網に接続された外部のファクシミリ装置２３との間でファクシミリデータの送受信を行うためのものである。回線制御部３は、公衆回線網に対するダイヤル信号の送出や、公衆回線網からの呼出信号に対する応答等の動作を行うものであり、例えば、公衆回線網を介して自身を外部のファクシミリ装置２３に通信可能に接続する。
一方、ＰＣインタフェース２４は、ＰＣと当該ファクシミリ装置１とをパラレルインタフェース等を介して接続するときに用いられるものであり、ＰＣ１３，１４からのコードデータ等を受信したりする。
【００５０】
また、メール制御部９１は、インターネットに接続された外部の通信装置との間で電子メールの送受信を行うことによって、電子メールによるファクシミリデータの送受信を実現するものである。
つまり、メール制御部９１は、符号器８５にて符号化されたファクスフォーマットのバイナリイメージデータを、テキストコードのイメージデータに変換すると共に、送信先のメールアドレス等を含むヘッダ情報をそのデータに付加することにより、ファックスフォーマットのイメージデータを、電子メールとして送信可能な電子メールフォーマットのイメージデータにフォーマット変換したり、逆にインターネット経由で通信モジュール５を介して受信した電子メールフォーマットのイメージデータを、ファックスフォーマットのイメージデータに逆フォーマット変換する処理を行う。尚、このメール制御部９１によってファックスフォーマットのイメージデータに逆フォーマット変換されたデータは、復号器８７によつて記録部３７で出力可能なイメージデータに復号化されてから記録紙に印刷される。
【００５１】
機能拡張用インタフェース（Ｉ／Ｆ）９３は、別体で構成されたルータ制御部１０１を備える通信モジュール５を着脱自在に接続することができるように構成になったＡＩＯ（アナログ入出力）やＲＳ２３２Ｃ等のシリアルインタフェースである。尚、図３に示すように、通信モジュール５は、装置の本体ケース２５内に収容される。
【００５２】
また、通信モジュール５は、ルータ制御部１０１、ハブ（ＨＵＢ）１０３、ＩＰ電話部１０５、無線処理部１０７、ウェブプリント部１１０や、ルータ制御部１０１に繋がるインタフェース接続端子１０９などを備えている。尚、通信モジュール５は、このインタフェース接続端子１０９を介してインタフェース９３に接続される。
【００５３】
ルータ制御部１０１は、ＡＤＳＬモデム９を介してインターネット内の通信装置との間でＩＰパケットの送受信を行うためのものであり、周知のＩＰマスカレード機能やルーテイング機能を備えるブロードバンドルータとして機能する。
即ち、このルータ制御部１０１は、ＩＰマスカレード機能により、ＬＡＮ内で用いられるプライベートＩＰアドレスと、ＷＡＮ（本実施の形態ではインターネット内）で用いられるグローバルＩＰアドレスとを相互変換し、ルーティング機能により、ＬＡＮ側の端末と、ＷＡＮ側の通信装置（ＷＷＷサーバ２１）とを双方向通信可能に接続する。
例えば、ルータ制御部１０１は、ハブ（ＨＵＢ）１０３を介してＩＰ電話部１０５、無線処理部１０７、ウェブプリント部１１０との間でのデータの送受信を行うことにより、ＩＰ電話部１０５、無線処理部１０７及びウェブプリント部１１０をＡＤＳＬモデム９を介してインターネットに双方向通信可能に接続する。
【００５４】
また更に、ルータ制御部１０１は、ハブ（ＨＵＢ）１０３を介してＬＡＮ側接続ポート７に接続されるＬＡＮ内のＬＡＮ端末１３〜１７との間で通信を行うことにより、ＬＡＮ内のＬＡＮ端末１３〜１７をインターネットに双方向通信可能に接続する。つまり例えば、ルータ制御部１０１は、経路制御して、インターネット内のＷＷＷサーバ２１から受信したデータを、宛先のＬＡＮ端末１３〜１７に送信する。
【００５５】
この他、ルータ制御部１０１は、装置本体側のＣＰＵ３９とインタフェース９３を介して通信を行うことができるように構成されている。即ち、ＬＡＮ端末１３〜１７やＩＰ電話部１０５、無線処理部１０７、ウェブプリント部１１０は、ルータ制御部１０１及びインタフェース９３を介して装置本体側のＣＰＵ３９と双方向通信を行うことができ、例えば、当該ファクシミリ装置１のＣＰＵ３９は、ルータ制御部１０１を介してＬＡＮ内のＰＣ１３，１４から印刷用のコードデータを取得すると、ＣＰＵ３９にて、プリンタ機能用プログラムを実行し、そのプログラム内で記録部制御用プログラム８１ｃを呼び出して記録部３７を制御し、そのデータに基づく画像を形成する。
【００５６】
一方、このルータ制御部１０１にハブ１０３を介して接続されたＩＰ電話部１０５は、音声信号をＩＰパケットに格納し、インターネット経由で、外部のＩＰ電話機と、音声通信（通話）を行うことが可能な構成になっている。
【００５７】
また、無線処理部１０７は、外部の無線通信装置と該当ファクシミリ装置１との間で無線通信を行うためのものであり、ブルートゥース規格（近距離無線通信の規格）やＩｒＤＡ規格（赤外線通信の規格）による無線接続方式にて、外部の無線通信装置をファクシミリ装置１内の各部に双方向通信可能に接続する構成になっている。即ち、当該ファクシミリ装置１においては、ハブ１０３に接続された接続ポート７を用いることにより、有線接続方式にて各ＬＡＮ端末１３〜１７をファクシミリ装置１に接続することができる他、この無線処理部１０７を用いることにより、無線接続方式にてＬＡＮ端末１３〜１７をファクシミリ装置１に接続することができる。
【００５８】
この他、ウェブプリント部１１０は、ＣＰＵ１１１、ＲＯＭ１１３、ＲＡＭ１１５、ネットワークインタフェース１１７などを備えており、ネットワークインタフエース１１７を介してルータ制御部１０１との間で通信を行うことにより、自身をインターネットに接続したり、装置本体側のＣＰＵ３９と通信を行う構成になっている。
【００５９】
ここで、図６は、ウェブプリント部１１０のＲＡＭ１１５内のデータ構成を表す説明図（図６（a））、ＲＯＭ１１３内のデータ構成を表す説明図（図６（ｂ））である。
このウェブプリント部１１０におけるＲＡＭ１１５は、図６（ａ）に示すように、ワークメモリ１１５ａや、ＷＷＷサーバ２１から取得したダウンロードデータ等を記憶する送受信データ記憶部１１５ｂ、ＷＷＷサーバ２１のアドレス（ＵＲＬ：Ｕｎｉｆｏｒｍ  Ｒｅｓｏｕｒｃｅ  Ｌｏｃａｔｏｒ）情報を記憶するＵＲＬ情報記憶部１１５ｃ、後述する転送機能を使用する際のデータ転送先に関する転送先情報を記憶する転送先情報記憶部１１５ｄ、アクセス禁止データベース１１５ｅ、キーワードデータベース１１５ｆ、履歴情報記憶部１１５ｇ、ログ記憶部１１５ｈなどとして機能する構成になっている。
【００６０】
ＵＲＬ情報記憶部１１５ｃは、図６（ｃ）に示すように、データ取得先を表すＵＲＬに関連付けて、メモ情報、スケジューラ用設定データを複数個記録可能な構成になっている。
即ち、通信モジュール５は、利用者による操作パネル２７の操作等によって外部入力されたメモ情報を、対応するＵＲＬに対して関連付けてＵＲＬ情報記憶部１１５ｃに登録できるように構成されている。尚、周知のようにＵＲＬは、サーバアドレス、ディレクトリ情報、ファイル名などから構成されるアドレス情報である。また、図７は、ウェブプリント部１１０のＣＰＵ１１１が実行するＵＲＬ・メモ情報登録処理を表すフローチャートである。
【００６１】
処理を実行すると、ＣＰＵ１１１は、Ｓ１０１にてＵＲＬ及びメモ情報の入力を求める入力指示メッセージをインタフェース９３を介して装置本体側に送信することにより、装置本体側のＬＣＤ２７４にその入力指示メッセージを表示させる。この後、ＣＰＵ１１１は、Ｓ１０３にて、ＵＲＬ及びメモ情報の登録指令が操作パネル２７からインタフェース９３を介して送信されてくるまで待機し、登録指令を受信すると、Ｓ１０５にて、その操作パネル２７から入力されたＵＲＬ及びメモ情報を装置本体側から取得し、更にＳ１０７にて、そのＵＲＬ及びメモ情報を互いに関連付けてＵＲＬ情報記憶部１１５ｃに記録させる。尚、メモ情報は、現状においてＵＲＬがローマ字で表記され、その表示だけではどのホームページヘアクセスするかがわかりにくく、更には、ＬＣＤ２７４の表示領域も限られているため、目的のＵＲＬを探すのが容易ではないことから、利用者が瞬時にそのＵＲＬを判別できるようにするために設けたものである。
【００６２】
この他、転送先情報記憶部１１５ｄは、後述するプリンタ転送用のアドレス情報と、ＰＣ転送用のアドレス情報とを記憶する構成になっている。尚、この転送先情報記憶部１１５ｄは、プリンタ転送用及びＰＣ転送用のアドレス情報として、ＬＡＮ内のプライベートＩＰアドレスに加え、ポート番号を記憶する構成になっている。
【００６３】
一方、ウェブプリント部１１０におけるＲＯＭ１１３内には、図６（b）に示すように、ＷＷＷサーバ２１からデータを取得したり、当該装置の記録部３７にＷＷＷサーバ２１から取得したダウンロードデータを印刷させるための後述する各処理を表すウェブプリント機能用プログラム群１１３ａや、ウェブプリント機能動作時における動作条件を表すフラグ情報１１３ｂ、などが記憶されている。
【００６４】
詳述すると、このウェブプリント部１１０は、ルータ制御部１０１経由でＷＷＷサーバ２１から取得したダウンロードデータに基づく画像を記録部３７に印刷させる印刷機能、ＲＡＭ１１５内にデータを一時保存する保存機能、ダウンロードデータをＬＡＮ側接続ポート７を介してＬＡＮに接続された転送先のプリンタ（転送先情報記憶部１１５ｄに記憶されているプリンタ転送先のアドレス情報で特定されるプリンタ）１６に転送するプリンタ転送機能、ダウンロードデータをＬＡＮ側接続ポート７を介してＬＡＮに接続されたＰＣ１３，１４に転送するＰＣ転送機能、ダウンロードデータに基づく画像を記録部３７に単色で印刷させる単色印刷機能、印刷時の機械音が抑えられた上記静音印刷モードで記録部３７を動作させてダウンロードデータに基づく画像を印刷させる静音印刷機能、ウェブプリント部１１０で実行した各処理に関するログ情報を保存するログ保存機能、エラーメッセージをＬＣＤ２７４に表示させるエラー情報表示機能等を備えており、これらの機能をＲＯＭ１１３内が記憶するウェブプリント機能用プログラム群１１３ａで実現するように構成され、図８に示すフラグ情報１１３ｂに基づいて、各機能を動作させるかどうか（即ち、機能のＯＮ／ＯＦＦ）を切り換える構成になっている。
尚、図８は、フラグ情報１１３ｂとしてＲＯＭ１１３内に記憶されているデータの構成を表す説明図である。
【００６５】
ウェブプリント部１１０は、所定条件で、図８に示す『正常』動作モード、『ＵＲＬアクセス不許可』動作モード、『印刷キャンセル』動作モード・『パスワードエラー』動作モード、『キーワードエラー』動作モード、『同一コンテンツ検出』動作モード、『夜間印刷』動作モード、『留守番』動作モード、『大量モノクロ印刷』動作モード、『紙なしエラー』動作モード、『トナーなしエラー』動作モードのいずれかを選択し、各機能の値（以下、「フラグ値」と表現する。）をフラグセット情報としてＲＡＭ１１５内に書き込むことによってフラグをセットするように構成されている。また、ウェブプリント部１１０は、フラグ値”１”以上で、その機能を動作（ＯＮ）させ、フラグ値”０”で、その機能の動作を禁止（ＯＦＦ）する構成になっている。また、図８において表す記号＊は、その動作モードが選択される前にフラグセット情報として記憶されているフラグ値を書き換えないようすることを示している。
【００６６】
次に、本実施の形態の印刷システムについて説明する。図９に、本実施の形態の印刷システム３０１の概念図を示す。本実施の形態の特定機能代行システム３０１では、図９に示すように、クライアントの印刷装置３０２と、中継サーバ３０３と、Ｗｅｂサイト３０４とが、ＷＷＷのネットワークを介して接続されている。
この点、印刷装置３０２は、図１のファクシミリ装置１に相当するものである。また、中継サーバ３０３は、図１のＷＷＷサーバ２１に相当するものである。尚、図９では、中継サーバ３０３とＷｅｂサイト３０４とが一つずつ明記されているが、それぞれ複数有していてもかまわない。
【００６７】
そして、本実施の形態の印刷システム３０１では、図１０〜図１７のフローチャートに従って動作することにより、中継サーバ３０３に要求することにより中継サーバ３０３から送信されたＷＷＷ上のコンテンツをクライアントの印刷装置３０２で印刷する場合に、当該クライアントの印刷装置３０２の仕様に合ったものを中継サーバ３０３に送信させており、当該クライアントの印刷装置３０２に適した印刷が可能である。
すなわち、図１０に示すように、Ｓ２０１において、クライアントが、ＷＷＷ上のコンテンツをリクエストすると、Ｓ３０１において、中継サーバ３０３は、クライアントのリクエストを受け付ける。さらに、Ｓ２０２において、クライアントが、印刷情報（印刷装置３０２の仕様）を通知すると、Ｓ３０２において、中継サーバ３０３は、印刷情報（印刷装置３０２の仕様）を識別する。
【００６８】
この点、クライアントのリクエストや印刷情報は、ＵＲＬを介して、サーバ３０３やコンテンツを特定し、ＨＴＴＰのプロトコルで記載された「アドレス情報」や「仕様情報」として送信する。
尚、それらの操作は、図４の操作キー２７０を用いて行われる。また、印刷情報（印刷装置３０２の仕様）には、例えば、解像度、用紙サイズ、カラー・モノクロ、メモリ容量、プリンタ記述言語、読取装置の有無などがある。
【００６９】
その後、中継サーバ３０３では、Ｓ３０３において、ＵＲＬで指定されたコンテンツのデータをＷｅｂサイト３０４に要求し、Ｓ３０４において、Ｗｅｂサイト３０４から当該コンテンツのデータを取得すると、Ｓ３０５において、印刷情報（印刷装置３０２の仕様）に基づいて当該コンテンツのデータをレンダリング及びフォーマット変換し、Ｓ３０６において、印刷データとして、クライアントの印刷装置３０２に送信する。
【００７０】
そして、クライアントの印刷装置３０２では、Ｓ２０３において、中継サーバ３０３からの印刷データを受信すると、Ｓ２０４において、その印刷データを記録紙に印刷することにより、リクエストしたコンテンツを出力する。
この点、クライアントの印刷装置３０２に相当する図１のファクシミリ装置１には、「印刷手段」として、コピー機能や、ファクシミリ機能、プリンタ機能を有しているが、リクエストしたコンテンツを記録紙に印刷する際には、中継サーバ３０３に送信した印刷情報（印刷装置３０２の仕様）に関する機能で行う。
【００７１】
ここで、このときのクライアントの印刷装置３０２における詳しいフローチャートを図１１に示し、また、このときの中継サーバ３０３における詳しいフローチャートを図１２〜図１７に示す。
【００７２】
すなわち、クライアントの印刷装置３０２では、図１１に示すように、Ｓ２１１において、中継サーバ３０３にＷＷＷ上のコンテンツをリクエストし、Ｓ２１２において、中継サーバ３０３に印刷情報（印刷装置３０２の仕様）を通知すると、Ｓ２１３において、中継サーバ３０３から返信があるか否かを判断する。ここで、中継サーバ３０３から返信がないと判断した場合（Ｓ２１３：Ｎｏ）には、Ｓ２１３に戻って、中継サーバ３０３から返信があるか否かの判断を繰り返す。
【００７３】
一方、中継サーバ３０３から返信があると判断した場合（Ｓ２１３：Ｙｅｓ）には、Ｓ２１４に進んで、印刷データの転送の受け入れが可能か否かを判断する。ここで、印刷データの転送の受け入れが可能であると判断した場合（Ｓ２１４：Ｙｅｓ）には、Ｓ２１５に進んで、中継サーバ３０３から印刷データを受信し、Ｓ２１６において、印刷データを記録紙に印刷した後に、終了する。一方、印刷データの転送の受け入れが可能でないと判断した場合（Ｓ２１４：Ｎｏ）には、上記Ｓ２１５及びＳ２１６の処理を実行することなく、終了する。
【００７４】
また、中継サーバ３０３では、図１２に示すように、Ｓ３１１において、ＷＷＷ上のコンテンツに関するリクエストがあるか否かを判断する。ここで、ＷＷＷ上のコンテンツに関するリクエストがないと判断した場合（Ｓ３１１：Ｎｏ）には、Ｓ３１１に戻って、ＷＷＷ上のコンテンツに関するリクエストがあるか否かの判断を繰り返す。一方、ＷＷＷ上のコンテンツに関するリクエストがあると判断した場合（Ｓ３１１：Ｙｅｓ）には、Ｓ３１２に進んで、印刷情報（印刷装置３０２の仕様）を受信し、Ｓ３１３において、Ｗｅｂサイト３０４から上記リクエストに関するコンテンツのデータを取得する。
【００７５】
そして、Ｓ３１４においては、印刷加工条件の設定を行うことにより、印刷情報（印刷装置３０２の仕様）を構成する各仕様要素のうちの選択要素について何れか一つの種別を選択する。具体的には、図１３に示すように、Ｓ３２１のレイアウトの設定と、Ｓ３２２の解像度の設定、Ｓ３２３のカラーの設定、Ｓ３２４のプリンタ記述言語の選定とが行われた後に、それらの設定結果に基づいて、Ｓ３２５において、印刷データの生成が可能であるか否かを判断している。
【００７６】
ここで、Ｓ３２１のレイアウトの設定について説明すると、Ｓ３２１のレイアウトの設定は、図１４に示すように、Ｓ３３１において、印刷情報（印刷装置３０２の仕様）の一仕様要素を構成する用紙サイズから印刷レイアウトを求め、図１３のＳ３２２の解像度の設定に進むものである。
【００７７】
また、Ｓ３２２の解像度の設定について説明すると、Ｓ３２２の解像度の設定は、図１５に示すように、Ｓ３４１において、印刷情報（印刷装置３０２の仕様）の一仕様要素を構成する解像度からコンテンツの拡大・縮小率を求め、図１３のＳ３２３のカラーの設定に進むものである。
【００７８】
また、Ｓ３２３のカラーの設定について説明すると、Ｓ３２３のカラーの設定は、図１６に示すように、Ｗｅｂサイト３０４から取得したコンテンツがカラーコンテンツであり（Ｓ３５１：Ｙｅｓ）、かつ、クライアントの印刷装置３０２がカラー印刷の対応ができるものであれば（Ｓ３５２：Ｙｅｓ）、Ｓ３５３において、印刷データをカラーで生成するものと設定し、Ｗｅｂサイト３０４から取得したコンテンツがカラーコンテンツでなく（Ｓ３５１：Ｎｏ）、又は、クライアントの印刷装置３０２がカラー印刷の対応ができるものでなければ（Ｓ３５２：Ｎｏ）、Ｓ３５４において、印刷データをモノクロで生成するものと設定し、図１３のＳ３２４のプリンタ記述言語の選定に進むものである。
【００７９】
また、Ｓ３２４のプリンタ記述言語の選定について説明すると、Ｓ３２４のプリンタ記述言語の選定では、図１７に示すように、Ｓ３６１において、クライアントの印刷装置３０２のプリンタ記述言語の一つを、印刷情報（印刷装置３０２の仕様）の一仕様要素を構成するプリンタ記述言語のリストから取り出し、Ｓ３６２において、中継サーバ３０３自身でサポートされたものであるか否かを判断する。ここで、中継サーバ３０３自身でサポートされたものであると判断した場合（Ｓ３６２：Ｙｅｓ）には、Ｓ３６３に進んで、当該プリンタ記述言語を変換言語として設定し、図１３のＳ３２５に進む。一方、中継サーバ３０３自身でサポートされたものでないと判断した場合（Ｓ３６２：Ｎｏ）には、Ｓ３６４に進んで、印刷情報（印刷装置３０２の仕様）の一仕様要素を構成するプリンタ記述言語のリストのポインタを次に移動し、Ｓ３６５において、リスト内に次のデータがないか否かを判断する。ここで、リスト内に次のデータがあると判断した場合（Ｓ３６５：Ｎｏ）には、Ｓ３６１に戻って、上述した処理を繰り返す一方、リスト内に次のデータがないと判断した場合（Ｓ３６５：Ｙｅｓ）には、印刷不可として、図１３のＳ３２５に進む。
【００８０】
そして、図１３の印刷加工条件の設定が行われた後は、図１２のＳ３１５に進んで、印刷データの生成が可能か否かを判断する。ここで、図１３のＳ３２５でＮｏ又は、図１７のＳ３６５でＹｅｓを経た結果、印刷データの生成が可能でないと判断した場合（Ｓ３１５：Ｎｏ）には、Ｓ３１６に進んで、クライアントの印刷装置３０２に当該リクエストに関するコンテンツの印刷が不可能であることを通知した後、Ｓ３１１に戻って、上述した処理を繰り返す。一方、印刷データの生成が可能であると判断した場合（Ｓ３１５：Ｙｅｓ）には、Ｓ３１７に進んで、上記印刷加工条件の設定の結果に基づいて、当該リクエストに関するコンテンツのデータをレンダリング及びフォーマット変換し、印刷データの再生成を行う。
【００８１】
その後は、Ｓ３１８に進んで、クライアントの印刷装置３０２に当該リクエストに関するコンテンツの印刷が可能であることを通知し、Ｓ３１９において、クライアントの印刷装置３０２に印刷データを転送し、Ｓ３１１に戻って、上述した処理を繰り返す。尚、Ｓ３１９において、クライアントの印刷装置３０２に印刷データを転送する際は、上記印刷加工条件の設定の結果の識別子を印刷データの先頭に付加する。
【００８２】
以上詳細に説明したように、本実施の形態の印刷システム３０１では、クライアントの印刷装置３０２により、クライアントの印刷装置３０２の印刷情報（印刷装置３０２の仕様）をＷＷＷ上のＵＲＬとともに中継サーバ３０３に送信すると（Ｓ２０１，Ｓ２０２）、ＷＷＷ上のＵＲＬでクライアントが指定した場所に所定形式で保存されたコンテンツのデータは、中継サーバ３０３が当該場所のＷｅｂサイト３０４にアクセスすることにより取得され（Ｓ３０４，Ｓ３０５）、クライアントの印刷装置３０２の印刷情報（印刷装置３０２の仕様）に基づいてレンダリング及びフォーマット変換が行われた後に（Ｓ３０５）、クライアントの印刷装置３０２に伝送され（Ｓ３０６）、その後に、当該コンテンツはクライアントの印刷装置３０２で印刷される（Ｓ２０４）。
【００８３】
従って、本実施の形態の印刷システム３０１では、中継サーバ３０３に要求することにより中継サーバ３０３から送信されたＷＷＷ上のコンテンツをクライアントが印刷装置３０２で印刷する場合に、当該クライアントの印刷装置３０２の仕様に合ったものを中継サーバ３０３に送信させており、それぞれのクライアントの印刷手印刷装置３０２に適した印刷が可能である。
【００８４】
また、ＷＷＷ上のＵＲＬでクライアントが指定した場所に所定形式で保存されたコンテンツのデータは、中継サーバ３０３が当該場所のＷｅｂサイト３０４にアクセスすることにより取得され（Ｓ３０４）、クライアントの印刷装置３０２の印刷情報（印刷装置３０２の仕様）に基づいてレンダリング及びフォーマット変換が行われるので（Ｓ３０５）、Ｗｅｂサイト３０４側がコンテンツをどのような所定形式で保存したとしても、中継サーバ３０３側で対応するためクライアント側に影響が及ばない。
【００８５】
また、本実施の形態の印刷システム３０１では、クライアントの印刷装置３０２の印刷情報（印刷装置３０２の仕様）を中継サーバ３０２に送信した際に（Ｓ２０２）、クライアントの印刷装置３０２の印刷情報（印刷装置３０２の仕様）を構成する各仕様要素に選択要素（例えば、解像度、用紙サイズ、カラー・モノクロ、メモリ容量、プリンタ記述言語、読取装置の有無など）がある場合には、印刷加工条件の設定（Ｓ３１４）において、クライアントの印刷装置３０２の印刷情報（印刷装置３０２の仕様）を構成する各仕様要素のうちの選択要素について何れか一つの種別を選択し、上記印刷加工条件の設定の結果の識別子を印刷データの先頭に付加するので（Ｓ３１９）、仮に中継サーバ３０３がレンダリング又はフォーマット変換ができない選択肢があっても、他の選択肢に対応可能なものがあれば、その条件で印刷可能となり、印刷不可という事態を抑制できるという効果がある。
【００８６】
尚、本発明は上記実施の形態に限定されるものでなく、その趣旨を逸脱しない範囲で様々な変更が可能である。
例えば、上述した本実施形態の印刷システム３０１の作用・効果については、クライアント側の印刷装置３０２で読み込まれるフローピーディスクなどの記憶媒体に格納されたプログラムにより実現させてもよい。従って、上述した本実施形態の印刷システム３０１の作用・効果については、クライアント側の印刷装置３０２や、クライアント側の本体３０２で読み込まれるフローピーディスクなどの記憶媒体においても、同様にして、発揮することができる。
【００８７】
また、本実施形態の印刷システム３０１では、印刷装置３０２や、サーバ３０３、メールサーバを接続するネットワークは、ＷＷＷであったが、この点、インターネット、ＬＡＮなどであってもよい。もっとも、ＷＷＷは、実際の利用価値が高く、上述した効果を顕著に発揮できる。
【００８８】
【発明の効果】
本発明の印刷システムでは、クライアント側の電子機器の情報通知手段により、クライアント側の電子機器の印刷手段の仕様情報をネットワーク上のアドレス情報とともにサーバに送信すると、ネットワーク上のアドレス情報でクライアント側の電子機器が指定した場所に所定形式で保存されたコンテンツのデータは、サーバが当該場所のサイトにアクセスすることにより取得され、サーバーの再生成手段により、クライアント側の電子機器の印刷手段の仕様情報に基づいてレンダリング及びフォーマット変換が行われた後に、クライアントに伝送され、その後に、当該コンテンツはクライアント側の電子機器の印刷手段で印刷されるので、サーバに要求することによりサーバから送信されたネットワーク上のコンテンツをクライアント側の電子機器が印刷手段で印刷する場合に、当該クライアント側の電子機器の印刷手段の仕様に合ったものをサーバに送信させており、それぞれのクライアント側の電子機器の印刷手段に適した印刷が可能である。
【００８９】
また、ネットワーク上のアドレス情報でクライアント側の電子機器が指定した場所に所定形式で保存されたコンテンツのデータは、サーバが当該場所のサイトにアクセスすることにより取得され、サーバーの再生成手段により、クライアント側の電子機器の印刷手段の仕様情報に基づいてレンダリング及びフォーマット変換が行われるので、サイト側がコンテンツをどのような所定形式で保存したとしても、サーバ側で対応するため、クライアント側に影響が及ばない。
【００９０】
本発明の印刷システム、及び、電子機器、プログラムにおいては、クライアント側の電子機器の情報通知手段によりクライアントの印刷手段側の電子機器の仕様情報をサーバに送信した際に、クライアント側の電子機器の印刷手段の仕様情報を構成する各仕様要素に選択要素がある場合には、サーバの種別選択手段により、クライアント側の電子機器の印刷手段の仕様情報を構成する各仕様要素のうちの選択要素について何れか一つの種別を所定のルールで選択し、サーバの種別付加手段により、サーバの種別選択手段で選択された種別を当該コンテンツのデータにとして付加するので、クライアント側の電子機器が印刷可能な仕様条件が複数存在する時、少なくとも１つの仕様条件をサーバが処理可能であれば、正常に印刷させることが可能となり、印刷不可という事態に陥ることを抑制できる。
【図面の簡単な説明】
【図１】  本実施の形態のファクシミリ装置１の使用形態を表す説明図である。
【図２】  ファクシミリ装置１の外部構成を表す概略斜視図である。
【図３】  ファクシミリ装置１の内部構成を表す説明図である。
【図４】  ファクシミリ装置１の電気的構成を表すブロック図である。
【図５】  ＲＯＭ８１及びＲＡＭ８３内のデータ構成を表す説明図である。
【図６】  ウェブプリント部１１０のＲＯＭ１１３及びＲＡＭ１１５内のデータ構成を表す説明図である。
【図７】  ウェブプリント部１１０のＣＰＵ１１１が実行するＵＲＬ・メモ情報登録処理を表すフローチャートである。
【図８】  ＲＯＭ１１３内に記憶されているフラグ情報１１３ｂに関する説明図である。
【図９】  本発明の一実施の形態による印刷システムの概念図を示す。
【図１０】  本発明の一実施の形態による印刷システムの全体のフローチャートを示した図である。
【図１１】  本発明の一実施の形態による印刷システムの印刷装置（クライアント）のフローチャートを示した図である。
【図１２】  本発明の一実施の形態による印刷システムの中継サーバのフローチャートを示した図である。
【図１３】  本発明の一実施の形態による印刷システムの中継サーバのフローチャートの一部を示した図である。
【図１４】  本発明の一実施の形態による印刷システムの中継サーバのフローチャートの一部を示した図である。
【図１５】  本発明の一実施の形態による印刷システムの中継サーバのフローチャートの一部を示した図である。
【図１６】  本発明の一実施の形態による印刷システムの中継サーバのフローチャートの一部を示した図である。
【図１７】  本発明の一実施の形態による印刷システムの中継サーバのフローチャートの一部を示した図である。
【符号の説明】
１  ファクシミリ装置
２１  ＷＷＷサーバ
３７  記録部
８１  ＲＯＭ
８３  ＲＡＭ
１１３  ＲＯＭ
１１５  ＲＡＭ
２７０  操作キー
３０１  印刷システム
３０２  印刷装置
３０３  中継サーバ
３０４  Ｗｅｂサイト
【図１】
0004178823.tif 000002
【図２】
0004178823.tif 000003
【図３】
0004178823.tif 000004
【図４】
0004178823.tif 000005
【図５】
0004178823.tif 000006
【図６】
0004178823.tif 000007
【図７】
0004178823.tif 000008
【図８】
0004178823.tif 000009
【図９】
0004178823.tif 000010
【図１０】
0004178823.tif 000011
【図１１】
0004178823.tif 000012
【図１２】
0004178823.tif 000013
【図１３】
0004178823.tif 000014
【図１４】
0004178823.tif 000015
【図１５】
0004178823.tif 000016
【図１６】
0004178823.tif 000017
【図１７】
0004178823.tif 000018